(57)【要約】【課題】組み立てや撤去が簡単な足場装置を提供すること。【解決手段】建物の立壁Ｗの上縁Ｅの上方に設置される足場部材２０と、足場部材２０から下方に延び立壁Ｗの一方の側面側に位置される第１脚部材３０と、足場部材２０から下方に延び立壁Ｗの他方の側面側に位置される第２脚部材４０とを備えており、立壁Ｗを跨ぐ状態で当該立壁Ｗに設置される足場装置１０であって、第１脚部材３０および第２脚部材４０は、立壁Ｗに設置された状態における位置である設置時位置と、当該設置時位置とは異なる収納時位置の少なくとも２箇所の位置に移動可能である足場装置１０である。このような足場装置１０は、組み立てや撤去が簡単である。【選択図】図１
2007154516.tif 000002
【特許請求の範囲】
【請求項１】
建物の立壁の上縁上方に設置される足場部材と、
前記立壁の上縁上方に設置された前記足場部材から下方に延び、前記立壁の一方の側面側に位置される第１脚部材と、
前記立壁の上縁上方に設置された前記足場部材から下方に延び、前記立壁の他方の側面側に位置される第２脚部材と、を備えており、
前記立壁を跨ぐ状態で当該立壁に設置される足場装置であって、
前記第１脚部材および第２脚部材は、前記立壁に設置された状態における位置である設置時位置と、当該設置時位置とは異なる収納時位置の少なくとも２箇所の位置に移動可能である足場装置。
【請求項２】
前記足場部材は、足場装置を使用する作業者の歩行面になる足場面を有するものであり、
前記第１脚部材および第２脚部材は、いずれも、収納時位置では、前記足場部材の足場面と並列する状態になるものである、請求項１に記載の足場装置。
【請求項３】
前記第１脚部材の収納時位置での延在する向きと、前記第２脚部材の収納時位置での延在する向きは、同じ向きである請求項２に記載の足場装置。
【請求項４】
前記第１脚部材と第２脚部材のうち、一方の脚部材の収納時位置は、前記足場部材の一方の側面側であり、他方の脚部材の収納時位置は、前記足場部材の他方の側面側である請求項１から請求項３のいずれか一項に記載の足場装置。
【請求項５】
前記足場部材は、前記立壁の上縁上方に設置された前記足場部材から上方に延びる柵部材を、さらに備えており、
当該柵部材は、前記立壁に設置された状態における位置である設置時位置と、当該設置時位置とは異なる収納時位置の少なくとも２箇所の位置に移動可能であると共に、当該収納時位置では、前記足場部材の前記足場面と並列する状態になるものである、請求項１から請求項４のいずれか一項に記載の足場装置。
【請求項６】
前記柵部材の収納時位置は、前記足場部材と、前記脚部材のうちのいずれかの脚部材の収納時位置との間に挟まれる位置である請求項５に記載の足場装置。
【請求項７】
前記第１脚部材および第２脚部材は、それぞれ、対応する連結部材を介して前記足場部材に取付けられるものであり、
前記足場部材、第１脚部材および第２脚部材は、前記対応する連結部材が挿し込まれる連結穴を備えており、
各連結部材は、当該連結部材が挿し込まれる前記脚部材の対応連結穴および前記足場部材の対応連結穴に回転できない状態で挿し込まれる嵌合部と、回転可能な状態で挿し込まれる遊嵌部とを備えるものであると共に、前記嵌合部が前記対応連結穴に挿し込まれる固定位置と、前記遊嵌部が前記対応連結穴に挿し込まれる可動位置の少なくとも２箇所の位置に移動可能な状態で、対応する脚部材および足場部材に係合されており、
前記各連結部材の嵌合部を前記対応連結穴に挿し込むことで、前記対応する脚部材を前記設置時位置に固定することができる請求項１に記載の足場装置。
【請求項８】
前記連結部材は、前記対応する脚部材および足場部材の前記対応連結穴に挿し込まれる前記嵌合部を備えており、当該嵌合部を前記対応連結穴に挿し込むことで、前記対応する脚部材を前記設置時位置または前記収納時位置に固定することができるものである、請求項７に記載の足場装置。
【請求項９】
前記足場部材に対して固定され、前記立壁の上縁に転動可能な状態で接する回転ローラを、さらに備えており、
当該回転ローラが転動すると、前記立壁の延在方向である横方向に移動する請求項１から請求項８のいずれか一項に記載の足場装置。
【請求項１０】
前記第１脚部材および前記第２脚部材が収納時位置に位置され且つ立てられた状態になっている足場装置を自立的に支持する転がり部材をさらに備えている請求項１から請求項９のいずれか一項に記載の足場装置。
【発明の詳細な説明】
【技術分野】
【０００１】
本発明は、建物の外壁のリフォーム作業など、作業者が建物の外壁に沿って移動しながら行う作業で用いられる足場装置に関する。
【背景技術】
【０００２】
従来の足場としては、特許文献１に記載されているものなど、種々の足場装置がある。
【特許文献１】特開２００１−１８２３１２号公報
【発明の開示】
【発明が解決しようとする課題】
【０００３】
ところで、従来の足場装置は、現場で多くの部材を組み立てることで構成されるものである。このような足場装置を用いるには、足場を組んだり撤去したりする作業に時間を要する。建物全体を補修する場合など大規模な工事であれば、工事全体の作業時間に占める足場のための作業時間の割合は比較的小さい。ところが、建物の一部を補修する場合など小規模の工事では、実際の補修に要する作業時間が比較的短時間であり、勢い、足場を組んだり撤去したりする時間の割合が大きくなる。したがって、足場装置を必要とする比較的規模の小さい工事を行う場合に、効率的に工事を行うことが難しいという問題があった。
【０００４】
本発明は、このような問題点に鑑みてなされたものであり、組み立てや撤去が簡単な足場装置を提供することを課題とする。
【課題を解決するための手段】
【０００５】
請求項１に記載の発明は、建物の立壁の上縁上方に設置される足場部材と、前記立壁の上縁上方に設置された前記足場部材から下方に延び、前記立壁の一方の側面側に位置される第１脚部材と、前記立壁の上縁上方に設置された前記足場部材から下方に延び、前記立壁の他方の側面側に位置される第２脚部材と、を備えており、前記立壁を跨ぐ状態で当該立壁に設置される足場装置であって、前記第１脚部材および第２脚部材は、前記立壁に設置された状態における位置である設置時位置と、当該設置時位置とは異なる収納時位置の少なくとも２箇所の位置に移動可能である足場装置である。
【０００６】
請求項２に記載の発明は、請求項１に記載の足場装置であって、前記足場部材は、足場装置を使用する作業者の歩行面になる足場面を有するものであり、前記第１脚部材および第２脚部材は、いずれも、収納時位置では、前記足場部材の足場面と並列する状態になるものである。
【０００７】
請求項３に記載の発明は、請求項２に記載の足場装置であって、前記第１脚部材の収納時位置での延在する向きと、前記第２脚部材の収納時位置での延在する向きは、同じ向きである。
【０００８】
請求項４に記載の発明は、請求項１から請求項３のいずれか一項に記載の足場装置であって、前記第１脚部材と第２脚部材のうち、一方の脚部材の収納時位置は、前記足場部材の一方の側面側であり、他方の脚部材の収納時位置は、前記足場部材の他方の側面側である。
【０００９】
請求項５に記載の発明は、請求項１から請求項４のいずれか一項に記載の足場装置であって、前記足場部材は、前記立壁の上縁上方に設置された前記足場部材から上方に延びる柵部材を、さらに備えており、当該柵部材は、前記立壁に設置された状態における位置である設置時位置と、当該設置時位置とは異なる収納時位置の少なくとも２箇所の位置に移動可能であると共に、当該収納時位置では、前記足場部材の前記足場面と並列する状態になるものである。なお、柵部材に、さらに別の第２柵部材を取付けてもよい。
【００１０】
請求項６に記載の発明は、請求項５に記載の足場装置であって、前記柵部材の収納時位置は、前記足場部材と、前記脚部材のうちのいずれかの脚部材の収納時位置との間に挟まれる位置である。
【００１１】
請求項７に記載の発明は、請求項１に記載の足場装置であって、前記第１脚部材および第２脚部材は、それぞれ、対応する連結部材を介して前記足場部材に取付けられるものであり、前記足場部材、第１脚部材および第２脚部材は、前記対応する連結部材が挿し込まれる連結穴を備えており、各連結部材は、当該連結部材が挿し込まれる前記脚部材の対応連結穴および前記足場部材の対応連結穴に回転できない状態で挿し込まれる嵌合部と、回転可能な状態で挿し込まれる遊嵌部とを備えるものであると共に、前記嵌合部が前記対応連結穴に挿し込まれる固定位置と、前記遊嵌部が前記対応連結穴に挿し込まれる可動位置の少なくとも２箇所の位置に移動可能な状態で、対応する脚部材および足場部材に係合されており、前記各連結部材の嵌合部を前記対応連結穴に挿し込むことで、前記対応する脚部材を前記設置時位置に固定することができる。
【００１２】
請求項８に記載の発明は、請求項７に記載の足場装置であって、前記連結部材は、前記対応する脚部材および足場部材の前記対応連結穴に挿し込まれる前記嵌合部を備えており、当該嵌合部を前記対応連結穴に挿し込むことで、前記対応する脚部材を前記設置時位置または前記収納時位置に固定することができるものである。
【００１３】
請求項９に記載の発明は、請求項１から請求項８のいずれか一項に記載の足場装置であって、前記足場部材に対して固定され、前記立壁の上縁に転動可能な状態で接する回転ローラを、さらに備えており、当該回転ローラが転動すると、前記立壁の延在方向である横方向に移動する。
【００１４】
請求項１０に記載の発明は、請求項１から請求項９のいずれか一項に記載の足場装置であって、前記第１脚部材および前記第２脚部材が収納時位置に位置され且つ立てられた状態になっている足場装置を自立的に支持する転がり部材をさらに備えている。
【発明の効果】
【００１５】
請求項１に記載の発明では、足場装置の足場になる足場部材と、足場装置の立壁への設置に用いられる第１脚部材および第２脚部材とが一体的に接続されている。したがって、足場装置の設置や撤去を簡単かつ迅速に行うことができる。また、第１脚部材および第２脚部材の設置時位置における状態は、立壁の上縁上方に設置された足場部材から下方に延びる状態であるので、比較的運びにくい状態であるが、この状態とは異なる収納時位置に第１脚部材および第２脚部材を位置させると、足場装置はより運びやすい状態になり、足場装置の搬送がより容易になる。
【００１６】
請求項２に記載の発明では、収納時位置に位置された第１脚部材および第２脚部材は、足場部材の足場面と並列するコンパクトな状態になる。したがって、第１脚部材および第２脚部材を収納時位置に位置させると、足場装置がコンパクトなより搬送しやすい状態になり、足場装置の搬送がさらに容易になる。
【００１７】
請求項３に記載の発明では、第１脚部材の収納時位置での延在する向きと、前記第２脚部材の収納時位置での延在する向きが同じ向きになっている。ここで、脚部材の延在する向きとは、足場部材に連結された基端部から先端側に向かう向きである。足場装置を運ぶ場合、並列状態になっている足場部材、第１脚部材および第２脚部材を立てた状態にして運ぶことがある。このような向きに向けて足場装置を運ぶ際に、足場部材との連結端である基端部を下方に位置させると、搬送中に脚部材が倒れるおそれが生ずる。したがって、立てた状態で運ぶ場合は、脚部材の基端部を上方に位置させることが好ましい。ところが、第１脚部材の延在する向きと、第２脚部材の延在する向きが異なっていると、両脚部材の基端部を上方に位置させることができない。この点、両脚部材の延在する向きが同じであれば、両脚部材の基端部を上方に位置させることができるので、並列状態になっている足場部材、第１脚部材および第２脚部材を立てた状態にして運ぶとき、搬送しやすい。
【００１８】
請求項４に記載の発明では、一方の脚部材の収納時位置は、前記足場部材の一方の側面側であり、他方の脚部材の収納時位置は、前記足場部材の他方の側面側である。足場装置を設置した状態では、両脚部材は、いずれも、足場部材の下側すなわち同じ側に位置している。ところが、足場部材の一側に隣接して位置させることができる脚部材の数は１つである。したがって、足場部材の一側に両脚部材の収納時位置を設定すると、いずれか一方の脚部材の収納時位置を足場部材から離れた位置に設定せざるを得ず、両脚部材を収納時位置に位置させたときに、足場装置全体がコンパクトな状態になるようにすることが難しい場合がある。この点、一方の脚部材の収納時位置が足場部材の一方の側面側であり、他方の脚部材の収納時位置が足場部材の他方の側面側であれば、両脚部材の収納時位置を足場部材に隣接する位置に設定することができるので、両脚部材を収納時位置に位置させた状態について、コンパクトな状態がより容易に確保される。
【００１９】
請求項５に記載の発明では、足場部材に柵部材が一体的に接続されている。したがって、柵部材を備える足場装置の設置や撤去を簡単かつ迅速に行うことができる。また、柵部材を設置時位置とは異なる収納時位置に位置させることができるので、足場装置の設置や撤去さらには搬送が容易である。
【００２０】
請求項６に記載の発明では、柵部材の収納時位置は、足場部材の前記足場面と、前記脚部材のうちのいずれかの脚部材の収納時位置との間に挟まれる位置になっている。足場部材と脚部材とに挟まれた柵部材は、立てられた状態になったとき、その収納時位置での延在する向きが脚部材の収納時位置での延在する向きと逆であると否とにかかわらず、倒れることが防止される。したがって、脚部材および柵部材を収納時位置に位置させて足場装置を運ぶとき、搬送が容易である。
【００２１】
請求項７に記載の発明では、連結部材の嵌合部を連結穴に挿し込むと脚部材が設置時位置に固定され、連結部材の遊嵌部を連結穴に挿し込むと脚部材の位置変更が可能な状態になる。したがって、連結穴への連結部材の挿し込み位置を嵌合部にしたり、遊嵌部にしたりすことによって、簡単に脚部材を設置時位置に固定したり、収納時位置に位置させたりすることができる。したがって、足場装置の組み立てや撤去がより簡単である。
【００２２】
請求項８に記載の発明では、嵌合部を対応連結穴に挿し込むことで、対応する脚部材を設置時位置に固定したり、収納時位置に固定したりすることができる。収納時位置に固定できれば、足場装置の設置や撤去さらには搬送がより容易である。
【００２３】
請求項９に記載の発明によれば、回転ローラによって足場部材を立壁に沿って横方向に簡単に移動させることができるので、足場装置を使った作業の作業性が向上する。
【００２４】
請求項１０に記載の発明によれば、足場部材の足場面と、収納時位置に位置された前記第１脚部材および前記第２脚部材とを立てた状態で支持するキャスタなどの転がり部材を使って足場装置を移動させることができるので、足場装置の設置や撤去がより容易である。
【発明を実施するための最良の形態】
【００２５】
以下、本発明に係る足場装置の実施形態について図面を用いて詳細に説明する。なお、共通の部材については、同一の符号を付すこととし、既にその詳細な説明が行われている場合であれば、さらに詳細な説明を行うことを省略する。
【００２６】
図１は、本実施形態の足場装置１０を示すものであり、当該足場装置１０について、建物の立壁Ｗに設置された状態（以下、設置時状態とも称する）を示している。図示されるように、足場装置１０は、設置時状態で立壁Ｗの上縁Ｅの上方に位置するように設置される足場部材１１を有する。
【００２７】
足場部材２０は、作業者の足場になる部材であり、その上面は作業者が立つ足場面２１になる。なお、本実施形態の足場部材２０は、平面形状の板状の部材であるが、作業者の足場を構成できるものであれば、必ずしも平面形状や、板状の部材である必要はない。足場部材は、たとえば、波面形状のものでもよいし、格子状や網状のものでもよい。また、本実施形態では、足場部材および足場面は四角形であるが、この形状に限られるものではなく、種々の形状を取りうる。
【００２８】
図１および図２に示されるように、足場部材２０には、設置時状態で、足場部材２０から下方に延びる第１脚部材３０および第２脚部材４０と、足場部材２０から上方に延びる柵部材５０が取付けられている。
【００２９】
これらのうち、第１脚部材３０は、図１に示される設置時状態で、立壁Ｗに直交する水平方向Ｄ１について立壁Ｗよりも水平方向建物内方Ｄ１in側（以下、単に「設置時状態で立壁の内側」という）に位置するように取り付けられている。
【００３０】
そして、図２に示されるように、足場部材２０は、第１脚部材３０との連結に用いられる第１連結穴２１，２１が形成された一対の第１突起部２２，２２を備えている。各第１突起部２２，２２は、上方に突出する状態で形成されている。各第１連結穴２１，２１は、いずれも、正方形の開口形状を有する貫通穴であり、同一の大きさの開口を有する。両第１連結穴２１，２１は、さらに、穴の中心を通る中心軸が同一軸Ａ１上に位置するように形成されており、中心軸に対する開口の回転位相が一致している。つまり、両第１連結穴２１，２１は、正方形断面である１本の角棒を両第１連結穴２１，２１に挿通させることができる状態で形成されている。
【００３１】
図１に示されるように、第１脚部材３０は、平面部を有する板状の部材であり、設置時状態で幅方向Ｄ２が立壁Ｗの延在方向Ｄ３と並列する状態になるように足場部材２０に取り付けられている。なお、第１脚部材３０の幅寸法は足場部材２０の幅寸法と同一である。そして、第１脚部材３０は、図１に示される設置時状態で上方に位置する基端部３０ａに、足場部材２０との連結に用いられる第１脚側連結穴３１，３１が形成された一対の第１脚側突起部３２，３２を備えている。
【００３２】
図２に示されるように、両第１脚側連結穴３１，３１は、いずれも、正方形の開口形状を有する貫通穴であり、同一の大きさの開口を有する。両第１脚側連結穴３１，３１は、さらに、穴の中心を通る中心軸が同一軸Ａ２上に位置するように形成されており、中心軸に対する開口の回転位相が一致している。つまり、両第１脚側連結穴３１，３１は、正方形断面である１本の角棒を両連結穴に挿通させることができる状態で形成されている。
【００３３】
また、両第１脚側突起部３２，３２の幅方向Ｄ２の位置は、足場部材２０の両第１突起部２２，２２の幅方向Ｄ２の位置からずれた位置になっている。つまり、幅方向の位置が一致する状態に足場部材２０と第１脚部材３０とを重ねたときに、足場部材２０の両第１突起部２２，２２の位置と第１脚側突起部３２，３２の位置とが重ならないようになっている。図１に示されるように、本実施形態では、第１脚側突起部３２，３２は、幅方向両端位置に１つずつ備えられている。そして、足場部材２０の各第１突起部２２，２２は、各第１脚側突起部３２，３２に隣接して配置される位置に備えられている（図１参照）。このような構成にすると、これらの連結穴２１，２１，３１，３１を同一軸上に位置させることができる。
【００３４】
そして、図１に示されるように、足場部材２０と第１脚部材３０は、棒形状の部材である第１連結棒６１によって連結されている。
【００３５】
図３に示されるように、第１連結棒６１は、足場部材２０の幅方向寸法よりも長尺の長さを有する棒材であり、その一端部に操作用のハンドル６１ａを備えている。また、第１連結棒６１は、正方形の断面形状を有する２つの嵌合部６１ｂ，６１ｂを備え、嵌合部６１ｂ，６１ｂ以外の部分は、嵌合部よりも細径の円形断面を有する丸棒部（遊嵌部）６１ｃになっている。
【００３６】
嵌合部６１ｂは、第１連結棒６１が挿通される各連結穴２１，３１に係合できる大きさに形成されている。そして、対応する連結穴２１，３１に嵌合部６１ｂが係合された状態では、第１連結棒６１は、係合された連結穴２１，３１を備える足場部材２０や第１脚部材３０に対して回転できない状態になる。他方、丸棒部６１ｃは、その直径が正方形の連結穴２１，３１の一辺の長さよりも小さいものである。したがって、連結穴２１，３１に丸棒部６１ｃが係合された状態では、第１連結棒６１は、足場部材２０や第１脚部材３０に対して回転できる状態になる。
【００３７】
先に説明したように、本実施形態の足場装置１０では、足場部材２０の各第１連結穴２１，２１とこれに対応する第１脚側連結穴３１，３１は、隣接配置されている。そして、第１連結棒６１の各嵌合部６１ｂの長さ６１ｄは、隣接配置された両連結穴２１，３１（以下、連結穴列とも称する）の連結穴列長さ６１ｅよりも長くなっており、連結穴列全体を貫通する状態で挿通できるようになっている。さらに、２つの嵌合部６１ｂ，６１ｂの位置は、一方の嵌合部６１ｂが対応する連結穴列に挿通させると、他方の嵌合部６１ｂも対応する連結穴列に挿通される位置関係になっている（図１参照）。
【００３８】
図４に示されるように、第１連結棒６１は、その長手方向Ｄ４（図１では幅方向Ｄ２）に移動可能な状態で取り付けられており、長手方向Ｄ４への移動により、図４（ａ）に示される嵌合位置（固定位置）と、図４（ｂ）に示される遊嵌位置（可動位置）とに位置させることができるようになっている。これらの位置のうち、嵌合位置は各嵌合部６１ｂ，６１ｂが対応する連結穴列Ｈに係合する位置であり、遊嵌位置は、丸棒部６１ｃ，６１ｃが対応する連結穴列Ｈに係合する遊嵌位置である。たとえば、第１連結棒６１を図４（ａ）に示される嵌合位置に位置させると、第１脚部材３０が足場部材２０に対して固定される。他方、第１連結棒６１を図４（ｂ）に示される遊嵌位置に位置させると、第１脚部材３０は、第１連結棒６１を軸として足場部材２０に対して回転できる状態になる。
【００３９】
足場装置１０を立壁Ｗに設置して使用する状態すなわち設置時状態では、第１脚部材３０は、図１に示される位置すなわち設置時位置に固定される。図１に示されるように、第１脚部材３０の設置時位置は、足場装置１０に連結される基端部３０ａ（図２参照）を上端として鉛直下方に向けられた位置である。そして、折り畳まれた状態すなわち収納状態では、第１脚部材３０は、図５（ｂ）に示される位置すなわち収納時位置に固定される。図５（ｂ）に示されるように、第１脚部材３０の収納時位置は、足場部材２０の、設置時状態で上方に位置する面に隣接する状態で足場部材２０と並列する状態になる位置である。
【００４０】
なお、先に説明したように、各連結穴２１，３１の開口形状は正方形である。したがって、第１連結棒６１を嵌合位置に位置させて第１脚部材３０を足場部材２０に固定する場合、第１脚部材３０の足場部材２０に対する固定位置は４箇所ということになる。
【００４１】
また、図１に示されるように、第２脚部材４０は、設置時状態で立壁Ｗの外側すなわち水平方向Ｄ１の外方Ｄ１out側に位置するように取り付けられている。足場部材２０と第２脚部材４０との連結に関する構成は、足場部材２０と第１脚部材３０との連結に関する構成と同様である。そこで、同様の構成についての説明を省略しつつ、これらの構成を説明する。
【００４２】
足場部材２０は、第２脚部材４０との連結に用いられる第２連結穴２３，２３が形成された一対の第２突起部２４，２４を備えている。各第２突起部２４，２４は、設置時状態の足場部材２０の下面側であって幅方向Ｄ２の両端寄りの位置に下方に突出する状態で形成されている。なお、足場部材２０の各第２連結穴２３，２３は、第１連結穴２１，２１同様、いずれも、正方形の開口形状を有する貫通穴であり、同一の大きさの開口を有し、穴の中心を通る中心軸が同一軸Ａ３上に位置するように形成されており、中心軸に対する開口の回転位相が一致している。
【００４３】
第２脚部材４０は、平面部を有する板状の部材であり、設置時状態で幅方向Ｄ２が立壁Ｗの延在方向Ｄ３と並列する状態になるように足場部材２０に取り付けられている。なお、第２脚部材４０の幅寸法は足場部材２０の幅寸法と同一である。そして、第２脚部材４０は、図１に示される設置時状態で上方に位置する基端部４０ａ（図２参照）に、足場部材２０との連結に用いられる第２脚側連結穴４１，４１が形成された一対の第２脚側突起部４２，４２を備えている。各第２脚側連結穴４１，４１は、第１脚側連結穴同様、いずれも、正方形の開口形状を有する貫通穴であり、同一の大きさの開口を有し、穴の中心を通る中心軸が同一軸Ａ４（図２参照）上に位置するように形成されており、中心軸に対する開口の回転位相が一致している。
【００４４】
各第２脚側突起部４２，４２および各第２突起部２４，２４の幅方向Ｄ２の位置はそれぞれずれており、足場部材２０と第２脚部材４０を幅方向位置を一致させた状態で重ねたとき、これらの突起部２４，４２の位置は重ならない。図１に示されるように、本実施形態では、第２脚側突起部４２，４２は、幅方向Ｄ２の両端寄りの位置に１つずつ備えられている。そして、足場部材２０の各第２突起部２４，２４は、各第２脚側突起部４２，４２に隣接して配置される位置に備えられている。したがって、これらの連結穴２３，２３，４１，４１を同一軸上に位置させることができる。
【００４５】
図１に示されるように、足場部材２０と第２脚部材４０は、棒形状の部材である第２連結棒６２によって連結されている。なお、第２連結棒６２は、第１連結棒６１と同一形状の部材である。そこで、第２連結棒６２の各部位には、第１連結棒６１の対応する部位に付した符号のうち「６１」の部分を「６２」とした符号を付すこととし、各部位についての詳細な説明を省略することとする。例えば、第２連結棒６２のハンドルの符号は「６２ａ」となる。
【００４６】
図３に示されるように、第２連結棒６２は、第１連結棒同様、その一端部に備えられた操作用のハンドル６２ａと、２つの嵌合部６２ｂと、丸棒部（遊嵌部）６２ｃとを備えており、その長手方向Ｄ４に移動可能な状態で取り付けられており、長手方向に移動されることで、各連結穴列Ｈに各嵌合部６２ｂが係合する嵌合位置（固定位置）と、各連結穴列Ｈに丸棒部６２ｃが係合する遊嵌位置（可動位置）とに位置させることができるようになっている。
【００４７】
第２脚部材４０は、設置時状態にある足場装置１０では、図１に示される設置時位置に固定される。図示されるように、第２脚部材４０の設置時位置は、足場装置１０に連結される基端部４０ａ（図２参照）を上端として鉛直下方に向けられた位置である。そして、第２脚部材４０は、折り畳まれた収納状態では、図５（ｂ）に示される収納時位置に固定される。図５（ｂ）に示されるように、第２脚部材４０の収納時位置は、足場部材２０の、設置時状態で下側に位置する下面に隣接する状態で足場部材２０と並列する状態になる位置である。
【００４８】
また、図５（ｂ）に示されるように、第１脚部材３０の収納時位置での延在する向きと、第２脚部材４０の収納時位置での延在する向きは同じ向きＤ５になっている。そして、第１脚部材３０の収納時位置は足場部材２０の、設置時状態で上側に位置する上面（一方の側面）側であり、第２脚部材４０の収納時位置は下面（他方の側面）側である。
【００４９】
なお、図６（ａ）に示されるように、足場部材２０の第２突起部２４，２４は、設置時位置に位置された第２脚部材４０の基端部４０ａの端面（図６（ａ）では上端面）が当接する当接面２４ａを備えている。この当接面２４ａがあることで、設置時位置に位置する第２脚部材４０は、一方の向きＴ１への回転が制限され、他方の向きＴ２にのみ回転可能になっている。したがって、第２連結棒６２を嵌合位置に位置させて第２脚部材４０を足場部材２０に固定する場合、第２脚部材４０の足場部材２０に対する固定位置は、設置時位置と収納時位置の２箇所である。
【００５０】
また、図１に示されるように、柵部材５０は、設置時状態で立壁Ｗの水平方向外方Ｄ１out側の位置するように取り付けられている。足場部材２０と柵部材５０との連結に関する構成は、足場部材２０と第１脚部材３０との連結に関する構成と同様である。そこで、同様の構成についての説明を省略しつつ、これらの構成を説明する。
【００５１】
足場部材２０は、柵部材５０との連結に用いられる第３連結穴２５，２５が形成された一対の第３突起部２６，２６を備えている。各第３突起部２６，２６は、設置時状態の足場部材２０の上面側であって幅方向Ｄ２の両端寄りの位置に上方に突出する状態で形成されている。なお、足場部材２０の各第３連結穴２５，２５は、第１連結穴同様、いずれも、正方形の開口形状を有する貫通穴であり、同一の大きさの開口を有し、穴の中心を通る中心軸が同一軸Ａ５上に位置するように形成されており、中心軸に対する開口の回転位相が一致している。
【００５２】
柵部材５０は、平面部を有する板状の部材であり、設置時状態で幅方向Ｄ２が立壁Ｗの延在方向Ｄ３と並列する状態になるように足場部材２０に取り付けられている。なお、柵部材５０の幅寸法は足場部材の幅寸法と同一である。そして、柵部材５０は、図１に示される設置時状態で下方に位置する基端部５０ａに、足場部材２０との連結に用いられる柵側連結穴５１，５１が形成された一対の柵側突起部５２，５２を備えている。各柵側連結穴５１，５１は、第１脚側連結穴同様、いずれも、正方形の開口形状を有する貫通穴であり、同一の大きさの開口を有し、穴の中心を通る中心軸が同一軸Ａ６上に位置するように形成されており、中心軸に対する開口の回転位相が一致している。
【００５３】
各柵側突起部５２，５２および各第３突起部２６，２６の幅方向Ｄ２の位置はそれぞれずれており、足場部材２０と柵部材５０を幅方向位置を一致させた状態で重ねたとき、これらの突起部２６，５２の位置は重ならない。図１に示されるように、本実施形態では、柵側突起部５２，５２は、幅方向両端寄りの位置に１つずつ備えられている。そして、足場部材２０の各第３突起部２６，２６は、各柵側突起部５２，５２に隣接して配置される位置に備えられている。したがって、これらの連結穴を同一軸上に位置させることができる。
【００５４】
図１に示されるように、足場部材２０と柵部材５０は、棒形状の部材である第３連結棒６３によって連結されている。なお、第３連結棒６３は、第１連結棒６１と同一形状の部材である。そこで、第３連結棒６３の各部位には、第１連結棒６１の対応する部位に付した符号のうち「６１」の部分を「６３」とした符号を付すこととし、各部位についての詳細な説明を省略することとする。例えば、第３連結棒６３のハンドルの符号は「６３ａ」となる。
【００５５】
図３に示されるように、第３連結棒６３は、第１連結棒同様、その一端部に備えられた操作用のハンドル６３ａと、２つの嵌合部６３ｂと、丸棒部（遊嵌部）６３ｃとを備えており、その長手方向Ｄ４に移動可能な状態で取り付けられており、長手方向に移動されることで、各連結穴列Ｈに各嵌合部６３ｂが係合する嵌合位置（固定位置）と、各連結穴列Ｈに丸棒部６３ｃが係合する遊嵌位置（可動位置）とに位置させることができるようになっている。
【００５６】
柵部材５０は、設置時状態にある足場装置１０では、図１に示される設置時位置に固定される。図示されるように、柵部材５０の設置時位置は、足場装置１０に連結される基端部５０ａ（図２参照）を下端として鉛直下方に向けられた位置である。そして、柵部材５０は、折り畳まれた収納状態では、図５（ｂ）に示される収納時位置に固定される。図５（ｂ）に示されるように、柵部材５０の収納時位置は、足場部材２０の、設置時状態で上側に位置する第１脚部材３０の上面に隣接する状態で、足場部材２０および第１脚部材３０と並列する状態になる位置である。
【００５７】
なお、足場部材２０の第３突起部２６，２６は、第２突起部２４，２４と同様に、設置時位置に位置された柵部材５０の基端部５０ａの端面（図２では）下端面）が当接する当接面２６ａ（図２参照）を備えている。この当接面２６ａがあることで、設置時位置に位置する柵部材５０は、一方の向きへの回転が制限され、他方の向きにのみ回転可能になっている。したがって、第３連結棒６３を嵌合位置に位置させて柵部材５０を足場部材２０に固定する場合、柵部材５０の足場部材２０に対する固定位置は、設置時位置と収納時位置の２箇所である。
【００５８】
また、図１に示されるように、足場装置１０の第１脚部材３０には、必要に応じて着脱自在に取付けられる延長部材７１が取付けられており、この延長部材７１を介して下段用足場部材７２が取付けられている。
【００５９】
図２に示されるように、第１脚部材３０は中空部３０ｂを有しており、第１脚側突起部３２，３２の基端部３０ａと、その延在方向反対側の先端部３０ｃには開口が形成されている。そして、第１脚部材３０の両側面３０ｄには、中空部３０ｂに連通しており、延長部材７１の取り付けに用いられる第１脚側連通孔３０ｅが形成されている。
【００６０】
延長部材７１は、第１脚部材３０と同じ幅の幅寸法を有する本体部７１ａと、当該本体部７１ａに取付けられており、第１脚部材３０の中空部３０ｂの挿入される挿入板７１ｂとを備えている。
【００６１】
挿入板７１ｂには、延長部材７１を第１脚部材３０に取り付ける際に用いられ延長部材側連通孔７１ｃが形成されている。この挿入板７１ｂを第１脚部材３０の中空部３０ｂに挿入し、延長部材側連通孔７１ｃと第１脚側連通孔３０ｅとを一直線上に位置させた状態で両連通孔に固定用金具７３が係合されており、これにより、延長部材７１が第１脚部材３０に固定されている。
【００６２】
延長部材７１の本体部７１ａは、下段用足場部材７２の取付けに用いられる延長部材側連結穴７１ｄが形成された一対の延長部材側突起部７１ｅを備えている。各延長部材側突起部７１ｅ，７１ｅは、図１に示される設置時状態の延長部材７１の水平方向内方Ｄ１in側に向いた側面に水平方向内方Ｄ１in側に突出する状態で形成されている。
【００６３】
そして、延長部材７１には、設置時状態で立壁Ｗよりも水平方向内方Ｄ１in側に位置するように下段用足場部材７２が取り付けられる。延長部材７１と下段用足場部材７２との連結に関する構成は、足場部材２０と第１脚部材３０との連結に関する構成と同様である。そこで、同様の構成についての説明を省略しつつ、これらの構成を説明する。
【００６４】
下段用足場部材７２は、平面部を有する板状の部材であり、設置時状態では足場部材２０と平行（水平方向）の状態になるように延長部材７１に取り付けられている。なお、下段用足場部材７２の幅寸法は延長部材７１の幅寸法と同一である。そして、下段用足場部材７２は、図１に示される設置時状態で、水平方向外方Ｄ１out側に位置する基端部７２ａに、延長部材７１との連結に用いられる下側連結穴７２ｂが形成された一対の下側突起部７２ｃを備えている。
【００６５】
そして、延長部材７１に下段用足場部材７２を取り付けた状態では、両延長部材側連結穴７１ｄ，７１ｄおよび両下段用連結穴７２ｂ，７２ｂは同一軸線上に位置するように配置されている。両延長部材側連結穴７１ｄ，７１ｄおよび両下段用連結穴７２ｂ，７２ｂは、いずれも、円形の開口形状を有する同一の大きさの貫通穴であり、全ての貫通穴には１本の接続用の丸棒７４（図１参照）が挿通されている。
【００６６】
下段用足場部材７２は、設置時状態では、図１に示される設置時位置に固定される。図示されるように、下段用足場部材７２の設置時位置は、延長部材７１に連結された基端部７２ａ（図２参照）を水平外側方向Ｄ１outの端部として水平に向けられた位置である。そして、下段用足場部材７２は、設置時状態で下側に位置する下面に取り付けられており、その基端部７２ａから水平外側方向Ｄ１outに突出する位置決め板７２ｄを備えている。この位置決め板７２ｄは、下段用足場部材７２が設置時位置に位置するとき、延長部材７１の本体部７１ａに当接するようになっている。これにより、下段用足場部材７２が設置時位置に安定した状態で位置決めされる。なお、下段用足場部材７２は、着脱自在に取り付けられており、第１脚部材３０を折り畳むようにして収納時位置に移動させるとき、移動させる前などに、第１脚部材３０から取り外される。
【００６７】
また、図５（ａ）に示されるように、足場装置１０には、設置時状態での移動に用いられる移動用ローラ７５と、第１脚部材３０および第２脚部材４０に取付けられた補助ローラ７６とを備えている。
【００６８】
移動用ローラ７５は、設置時状態で下方に向けられる足場部材２０の下面に２つ取付けられている。なお、図５（ａ）では、手前側の１つの移動用ローラ７５のみが図示されている。したがって、図１に示されるように、各移動用ローラ７５，７５は、設置時状態で、立壁Ｗの上縁Ｅに接する。また、移動用ローラ７５，７５は回転可能に軸支持されており、その回転軸の方向は設置時状態で水平方向Ｄ１に向くように定められている。したがって、設置時状態の足場装置１０に幅方向Ｄ２の力を与えると、足場装置１０を当該幅方向Ｄ２に移動させることができる。
【００６９】
補助ローラ７６は、第１脚部材３０および第２脚部材４０の側面であって、設置時位置において立壁Ｗ側に向けられる側面に取付けられている。なお、第１脚部材３０に取付けられている補助ローラ７６の数は４つであり、第２脚部材４０に取付けられている補助ローラ７６の数は２つである。なお、図５（ａ）では、手前側に位置する補助ローラ７６のみ（第１脚部材については２つであり、第２脚部材については１つ）が図示されている。したがって、図１に示されるように、補助ローラ７６は、設置時状態で、立壁Ｗの側面に接する。つまり、補助ローラ７６で立壁Ｗを挟む状態になる。また、補助ローラ７６は、回転可能に軸支持されており、当該回転軸の方向は設置時状態で鉛直方向に向くように定められている。したがって、設置時状態で足場装置１０を幅方向Ｄ２に移動させるとき、補助ローラ７６は、立壁Ｗの側面上を転動しながら移動する。
【００７０】
また、第１脚部材３０には、押し付け部材７７が備えられている。この押し付け部材７７は、第１脚部材３０に螺合されたねじ棒部７７ａと、その水平外側方向Ｄ１outの先端側に取り付けられた押し付け板７７ｂと、ねじ棒部７７ａを回転させるための取っ手７７ｃとを備えている。この取っ手７７ｃでねじ棒部７７ａを回して押し付け板７７ｂを立壁Ｗに押し付けると、足場装置１０を立壁Ｗに沿って移動させることができない状態になり、足場装置１０が立壁Ｗに対して固定される。他方、押し付け板７７ｂの押し付けを解除すると、移動用ローラ７５によって足場装置１０を立壁Ｗに沿って移動させることができる状態になる。なお、押し付け板７７ｂはねじ棒部７７ａに対して着脱可能になっている。したがって、押し付け板７７ｂをねじ棒部７７ａから取り外すことで、簡単に押し付け部材７７を第１脚部材３０に対して着脱することができる。
【００７１】
さらに、足場部材２０は、着脱可能な状態で足場部材２０に取付けられたキャスタ（転がり部材）７８を備えており、キャスタ７８を床面に接地させた状態で自立できるようになっている。より具体的には、キャスタ７８は、足場部材２０の水平方向外方Ｄ１out側の端面２０ａに２つ（タイヤ状のコロは４つ）取付けられている。また、キャスタ７８が取付けられている端面２０ａは、両脚部材３０，４０との関係では、収納時位置に位置された両脚部材３０，４０の延在方向先端側に位置する端面であるということができる。両脚部材３０，４０を収納時位置に位置させた状態で、足場装置１０をキャスタ７８を用いて自立させた場合、両脚部材３０，４０は、その基端部３０ａ，４０ａが上方に位置することとなり、鉛直下方に延在された状態になる。
【００７２】
次に、最初に説明した上記実施形態の足場装置１０の一使用例について説明する。
【００７３】
本実施形態の足場装置１０は、設置しない状態では、図５（ｃ）に示されるように、各部材を収納時位置に位置させることでコンパクトに折畳まれた状態にすることができるものである。したがって、本実施形態の足場装置１０は、搬送が容易であるという利点を有する。また、図５（ｃ）に示されるように、この足場装置１０は、キャスタ７８によって床面に自立的に立てることができるようになっているとともに、キャスタ７８を転がすことで、足場装置１０を床面上において走行移動させることができる。したがって、足場装置１０は、この点でも、搬送が容易である。
【００７４】
このような足場装置１０を、まず、転がしながら設置位置近くまで移動させる。次に、設置準備作業を行う。
【００７５】
図５（ｂ）（ｃ）に示される状態の足場装置１０では、第１脚部材３０、第２脚部材４０および柵部材５０は収納時位置に位置されている。そこで、まず、これらの部材を収納時位置から図１や図５（ａ）に示される設置時位置に移動させる。
【００７６】
例えば、柵部材５０を収納時位置から設置時位置に移動させる場合は、まず、第３連結棒６３が図４（ｂ）に示される遊嵌位置に位置されていることを確認し、位置していない場合は、遊嵌位置に位置させる。そして、柵部材５０を第３連結棒６３を回転軸として回転させて設置時位置に位置させる。すると、足場部材２０の第３連結穴２５の開口と柵部材５０の柵側連結穴５１の開口とが重なる状態になり、両連結穴２５，５１からなる連結穴列Ｈに第３連結棒６３の嵌合部６３ｂを挿通させることができるようになる。そこで、連結穴列Ｈに嵌合部６３ｂを挿通させると、柵部材５０が設置時位置に固定される。第３連結棒６３を遊嵌位置や嵌合位置に移動させることは簡単な作業であるので、柵部材５０を設置時位置や収納時位置に固定させる作業はきわめて簡単な作業である。
【００７７】
このような作業を、第１脚部材３０および第２脚部材４０についても行い、収納時位置に位置されていた両脚部材３０，４０を設置時位置に位置させ、当該位置に固定する。
【００７８】
第１脚部材３０および第２脚部材４０を足場部材２０に対して固定すると、足場部材２０と両脚部材３０，４０とで断面コ字形（逆Ｕ字形）の部分が形成されるので、この部分で立壁Ｗを跨がせるようにして、足場装置１０を立壁Ｗに設置する。すると、図１や図５（ａ）に示されるように、足場部材２０が立壁Ｗの上縁Ｅの上方に位置する状態で、足場装置１０が立壁Ｗに設置される。
【００７９】
そして、下段用足場部材７２を設置する必要がある場合は、続いて、設置時位置に固定された第１脚部材３０に、延長部材７１の挿入板７１ｂを挿入し、延長部材側連通孔７１ｃと第１脚側連通孔３０ｅとを一直線上に位置させた状態で両連通孔に固定用金具７３を係合させる。これにより、延長部材７１を第１脚部材３０に固定すると共に、連結部材に取り付けられた下段用足場部材７２を第１脚部材３０に取り付ける。
【００８０】
本実施形態の足場装置１０によれば、このような作業を行うだけで簡単かつ迅速に足場装置を立壁Ｗに設置することができる。なお、設置作業の手順は、上述した順番である必要はない。例えば、先に脚部材３０，４０を固定し、その後、柵部材５０を固定するようにしてもよい。
【００８１】
足場装置１０を設置した後、設置した足場装置１０を用いて作業を行う場合は、押し付け部材７７の押し付け板７７ｂを立壁Ｗに押し付けて足場装置１０を立壁Ｗに対して固定する。また、足場装置１０の位置を移動させたい場合は、押し付け板７７ｂを押し付けた状態を一旦解除する。すると、移動用ローラ７５によって足場装置１０を立壁Ｗに沿ってその延在方向Ｄ３に移動させることができるようになる。そこで、足場装置１０を所望の位置に移動させる。その後、再び押し付け板７７ｂを立壁Ｗに押し付けて、足場装置１０を立壁Ｗに対して固定する。
【００８２】
作業が終了すると、足場装置１０を撤去する。撤去では、上述した各設置作業について、逆の作業を行う。また、作業の順番は特に限定されるものではないが、例えば上記設置作業の順番を逆の順番で行えばよいので、その詳細な説明については省略する。
【００８３】
まず、第１脚部材３０に取り付けられた延長部材７１を、第１脚部材３０から取り外す。ここでは、固定用金具７３を取り外すことで、簡単に延長部材７１を第１脚部材３０から取り外すことができ、同時に下段用足場部材７２を第１脚部材３０から取り外すことができる。
【００８４】
また、設置時位置に固定されている第１脚部材３０、第２脚部材４０および柵部材５０を収納時位置に移動させる。ここでは、嵌合位置に位置されている連結棒６１，６２，６３を一旦遊嵌位置に移動させ、この状態で各部材３０，４０，５０を設置時位置から収納時位置に移動させる。その後、再び連結棒６１，６２，６３を嵌合位置に移動させて、各部材３０，４０，５０を収納時位置に固定する。このようにすると、足場装置１０を移動させるときに、各部材３０，４０，５０がぶらつくようなことがなく、安定した状態の足場装置１０を移動させることができる。したがって、足場装置１０の移動が容易である。
【００８５】
なお、足場装置としては、種々の構成が考えられる。
【００８６】
たとえば、図７に示されるように、柵部材の収納時位置が足場部材２０と第１脚部材３０の収納時位置との間に位置しており、収納時位置に位置された柵部材が足場部材２０と収納時位置の第１脚部材３０とに挟まれるように収納される足場装置１０Ａであってもよい。このようにすると、全ての部材を収納時位置に位置させた状態でキャスタを用いて足場装置を自立させたときに、柵部材が開いて倒れようとする動きが第１脚部材によって防止される。したがって、キャスタを転がして足場装置を移動させるとき、柵部材が倒れることがなく、移動作業がより容易になる。
【００８７】
そして、図８に示されるように、下段用足場部材７２が一体に構成された足場装置１０Ｂであってもよい。この足場装置１０Ｂは、図８（ｂ）に示されるように、下段用足場部材７２を収納時位置に折り畳むことができるものである。このような構造にすると、足場装置の設置時や撤去時に、下段用足場部材７２を着脱する必要がなく、設置作業や撤去作業がより簡単になる。
【００８８】
また、図９に示されるように、柵部材５０だけでなく、第１横柵部材７９と第２横柵部材８０を備えており、足場部材２０上の作業者が立つ空間の三方を取り囲むことができる足場装置１０Ｃであってもよい。この足場装置１０Ｃが備える第１横柵部材７９および第２横柵部材８０は、横柵本体部７９ａ，８０ａと、横柵本体部７９ａ，８０ａ内に収容可能になっている引掛け棒７９ｂ，８０ｂとを備えるものである。したがって、引掛け棒７９ｂ，８０ｂを横柵本体部７９ａ，８０ａに収容し、この状態で横柵本体部７９ａ，８０ａを柵部材５０の内部に収容できるようになっている。したがって、両横柵部材７９，８０を柵部材５０の内部に収容した状態で、柵部材を収納時位置に位置させるようにすれば、先に説明した足場装置１０における折り畳み作業と同様の作業を行うことによって、図９に示される足場装置１０Ｃについても収納を行うことができる。
【００８９】
ここまで、種々の足場装置の実施形態について説明したが、足場装置を構成する各部材についても、種々の改変が考えられる。その点について以下説明する。
【００９０】
上記実施形態の各足場装置において、足場部材２０は、平面形状の板状の部材であるが、作業者の足場を構成できるものであれば、必ずしも平面形状や板状の部材である必要はない。足場部材としては、たとえば、平面形状ではなく波面形状のものでもよいし、板状ではなく格子状や網状のものでもよい。格子状などのいわゆる肉抜き構造の部材を用いれば、足場装置１０が軽量化し、搬送の際の取り扱いがより容易になる。
【００９１】
また、第１脚部材３０や第２脚部材４０などの脚部材は、平面形状の板状の部材であるが、足場装置１０を立壁Ｗに設置したときに、両脚部材３０，４０で立壁Ｗを挟むことができ、足場装置１０が立壁Ｗに安定した状態で設置されるのであれば、必ずしも平面形状や板状の部材である必要はない。これらの脚部材としては、たとえば、平面形状ではなく波面形状のものでもよいし、板状ではなく、棒状、細板状、枠状、格子状あるいは網状のものでもよい。枠状などのいわゆる肉抜き構造の部材を用いれば、足場装置１０が軽量化し、搬送の際の取り扱いがより容易になる。
【００９２】
また、第１脚部材３０は、作業者が足場部材２０の上に立とうとするときの足場として用いることができる構造部を備えるものでもよい。例えば、格子状にする場合に格子の間隔を調整し、格子の一区画の大きさ特に幅寸法を作業者の足よりも大きく設定し、作業者が格子状の部分に足を引っ掛けることができるようにしてもよい。このように、第１脚部材３０が足を引っ掛けることができるいわゆる凹み部を備えるものであれば、作業者は足場部材２０に対する昇降動作が容易になる。
【００９３】
なお、足場部材２０、第１脚部材３０、第２脚部材４０および柵部材５０に備わる各連結穴２１，２３，２５，３１，４１，５１の開口形状や各連結棒６１，６２，６３の嵌合部６１ｂ，６２ｂ，６３ｂの断面形状は、正方形に限られず、たとえば正六角形など、少なくとも第１脚部材３０などの部材を設置時位置に固定できる形状であればよい。そして、さらにこれの形状としては、第１脚部材３０などの各部材を収納時位置にも固定できる形状であれば、さらに好ましい。ただし、本実施形態の足場装置１０では、第１脚部材３０などの部材の設置時位置と収納時位置の向きの違いは９０°である。したがって、上述した各連結穴の開口形状や嵌合部の断面形状を、正方形以外の、たとえば正六角形にすると、第１脚部材を設置時位置か収納時位置のいずれかの位置にしか固定できない。したがって、設置時位置および収納時の両位置に第１脚部材３０などの部材を固定したい場合、連結穴の開口形状や嵌合部の断面形状としては、正方形や正八角形など、向きが９０°異なる２位置に各部材を固定させることができる形状がより好ましいことになる。
【００９４】
また、図８に示されるように、柵部材５０の、例えば上端部に係合穴（係合部）５０ｂを形成すると共にワイヤやチェーンなどの連結具８１を用意してもよい。そして、連結具８１の一端（図８では下端）に設けた引掛け部（係合部）を柵部材５０の係合穴５０ｂに係合すると共に連結具８１の他端（図示せず）に設けた引掛け部（係合部）を建物側に係合する。この状態で、連結具８１に張力が生ずるように、連結具８１の両引掛け部の間の長さ調整を行って、連結具８１が係合された足場装置側の位置（係合穴５０ｂの位置）を連結具８１によって建物側に引きつける。このようにすることで足場装置を、より安定した状態で立壁Ｗに設置するようにしてもよい。連結具８１の他端側を引掛ける位置としては、種々の位置が考えられるが、たとえば、設置対象である足場装置が設置された階層の１つ上の階層の立壁Ｗなどに備わる係合部などを挙げることができる。この連結具を用いる構造は、図８に示される足場装置１０Ｂだけでなく、他の実施形態の足場装置にも同様に適用できる。
【図面の簡単な説明】
【００９５】
【図１】本発明に係る実施形態の足場装置を示す斜視図である。
【図２】図１の足場装置の主要部材に関する分解斜視図である。
【図３】図１の足場装置で用いられる連結棒を示す斜視図である。
【図４】（ａ）（ｂ）は、連結棒のポジションについて説明するための図１のＳ−Ｓ面についての断面図である。
【図５】（ａ）は、図１の足場装置を構成する各部材の設置時位置を示す側面図であり、（ｂ）は、収納時位置を示す側面図であり、（ｃ）は、移動時の状態を示す側面図である。
【図６】第２脚部材の突起部の形状を示す拡大側面図である。
【図７】（ａ）は、本発明にかかる別の実施形態の足場装置を示す側面図であり、（ｂ）は、収納時位置を示す側面図である。
【図８】（ａ）は、本発明にかかるさらに別の実施形態の足場装置を示す側面図であり、（ｂ）は、収納時位置を示す側面図である。
【図９】本発明にかかるさらに別の実施形態の足場装置を示す斜視図である。
【符号の説明】
【００９６】
１０  足場装置
２０  足場部材
３０  第１脚部材
４０  第２客部材
５０  柵部材
６１，６２，６３  連結棒
７１  延長部材
７２  下段用足場部材
Ｗ  立壁
Ｅ  立壁の上縁
【図１】
2007154516.tif 000003
【図２】
2007154516.tif 000004
【図３】
2007154516.tif 000005
【図４】
2007154516.tif 000006
【図５】
2007154516.tif 000007
【図６】
2007154516.tif 000008
【図７】
2007154516.tif 000009
【図８】
2007154516.tif 000010
【図９】
2007154516.tif 000011